(57)【要約】【課題】複数の数字に対して加減乗除の演算を行う場合、実際に入力又は演算された数字の数と、演算しようとしていた数字の数とを対照して入力漏れの有無を確認することが出来る計算装置を提供する。【解決手段】加減乗除の実行に係る指示を受付ける受付部１３と、前記指示を受付けた場合、その回数を計数する計数手段１５１とを備え、該計数手段１５１による計数結果の数字を入力又は計算された数字の数として表示部１に表示する。【選択図】図２
2007141260.tif 000002
【特許請求の範囲】
【請求項１】
加減乗除の演算の実行に係る指示を受付ける手段を備えた計算装置において、
前記指示を受付けた回数を計数する計数手段と、
該計数手段による計数結果の数字を表示する表示部と
を備えていることを特徴とする計算装置。
【請求項２】
前記表示部は、計数結果の数字並びに、入力又は演算結果の数字を共に表示するように構成されていることを特徴とする請求項１に記載の計算装置。
【請求項３】
前記表示部は入力又は演算結果の数字及び前記計数結果の数字を夫々異なる大きさで表示するように構成されており、
前記入力又は演算結果の数字及び前記計数結果の数字の大きさを逆転して表示する指示を受付ける逆転指示受付手段を備え、
前記逆転指示受付手段が前記指示を受付けた場合、前記表示部が前記入力又は演算結果の数字及び前記計数結果の数字の大きさを逆転して表示するように構成されていることを特徴とする請求項２に記載の計算装置。
【請求項４】
前記計数結果の数字のみを表示する指示を受付ける手段を備え、
該手段が前記指示を受付けた場合、前記表示部が前記計数結果の数字のみを表示するように構成されていることを特徴とする請求項２又は請求項３に記載の計算装置。
【発明の詳細な説明】
【技術分野】
【０００１】
本発明は、数字を入力操作して計算する計算装置に関する。
【背景技術】
【０００２】
幅広く普及され、四則演算等に使用されている計算装置、例えば電子式卓上計算機は、日常生活において欠かせない生活用品の一つとも言える。この電子式卓上計算機の本来の機能は、計算すべき数字を入力して加算、減算など必要とする計算を行うことである。
【０００３】
このような本来の機能を補充する新しい機能を有する様々な電気計算機も提案されている。例えば、任意の数値を記憶させ、記憶された数値を用いて演算を実行することが出来ると共に、記憶されている数値を表示しながら、別の演算の実行及び前記演算結果の表示ができる電気計算機がその一例である（特許文献１参照）。
【０００４】
一方、会社、商店などを営むにおいて計算装置は必須品とも言える。例えば商店の運営者が複数の伝票の合計の和を計算する場合のように複数の数字の計算においては、計算装置が有効に利用されている。
【０００５】
しかし、多数の伝票、つまり数字の計算においては、計算の際に２枚の伝票が重なってめくられる場合、数字の入力漏れが発生する場合などが生じ得る。従って、複数の数字の計算の場合には、計算の終了後に全ての数字が漏れることなく計算されたか否かを確認する必要が生じる。つまり、計算又は入力が行われた数字（又は伝票）の総数と、計算しようとしていた伝票の総数とを対照することが要求される。場合によっては、数字の入力途中に入力済みの数字の数を数え、確認を行う必要も生じる。
【特許文献１】特開２００６−２９３４９８号公報
【発明の開示】
【発明が解決しようとする課題】
【０００６】
しかしながら、特許文献１の電子計算機は、計算又は入力が済んだ数字の数を計数する機能を有しておらず、上述のような要求に対応することが出来ない。
【０００７】
ところが、計算装置を用いて四則演算を行う場合、計算又は入力が済んだ数字の数は、加減乗除の夫々の演算に係る通称「＋」キー、「−」キー、「×」キー及び「÷」キー並びに、演算の実行の指示に係る通称「＝」キーの操作数の和に相当する。従って、上述の要求は前記操作数の和を計数することにより、対応することが可能である。
【０００８】
本出願の発明者はこのような事に着目し、本発明をなした。本発明の目的は、加減乗除の実行に係る指示を受付けた場合、その回数を計数する計数手段と、該計数手段による計数結果の数字を表示する表示部とを備えることにより、実際に入力又は演算された数字の数と、演算しようとしていた数字の数とを対照して入力漏れの有無を確認することが出来る計算装置を提供することにある。
【０００９】
また、本発明の他の目的は、前記表示部が前記計数結果の数字並びに、入力又は前記演算結果の数字を共に表示するように構成することにより、前記計数結果、入力した数字及び前記演算結果を同時に確認することが出来る計算装置を提供することにある。
【００１０】
また、本発明の他の目的は、異なる大きさで表示される入力又は演算結果の数字及び前記計数結果の数字を、互いの大きさを逆転して表示する指示を受付ける逆転指示受付手段を備え、前記逆転指示受付手段が前記指示を受付けた場合は、前記表示部が前記入力又は演算結果の数字及び前記計数結果の数字の大きさを逆転して表示するように構成することにより、表示される前記入力又は演算結果の数字及び前記計数結果の数字の大きさを必要に応じて逆転させ、相互間の混乱、誤認を起こすことなく、確認することが出来る計算装置を提供することにある。
【００１１】
また、本発明の他の目的は、前記計数結果の数字のみを表示する指示を受付ける手段を備え、該手段が前記指示を受付けた場合、前記表示部が前記計数結果の数字のみを表示するように構成することにより、他の数値との混乱、誤認を起こすことなく、計数結果、つまり演算又は入力済みの数字の数を確認することが出来る計算装置を提供することにある。
【課題を解決するための手段】
【００１２】
本発明に係る計算装置は、加減乗除の演算の実行に係る指示を受付ける手段を備えた計算装置において、前記指示を受付けた回数を計数する計数手段と、該計数手段による計数結果の数字を表示する表示部とを備えていることを特徴とする。
【００１３】
本発明にあっては、前記手段は、例えば「＋」、「−」、「×」、「÷」及び「＝」の記号が付されたキーを有する。各キーのいずれかが操作されることにより、前記手段が前記指示を受付けた場合、前記計数手段は指示を受付けた回数を計数する。前記計数手段による計数結果は表示部に表示され、利用者により演算又は入力済みの数字の数が確認される。
【００１４】
本発明に係る計算装置は、前記表示部は、計数結果の数字並びに、入力又は演算結果の数字を共に表示するように構成されていることを特徴とする。
【００１５】
本発明にあっては、利用者が何時でも前記計数結果、入力した数字及び演算結果を同時に確認することが出来るように、前記計数結果の数字並びに、入力又は演算結果の数字が共に前記表示部に表示される。
【００１６】
本発明に係る計算装置は、前記表示部は入力又は演算結果の数字及び前記計数結果の数字を夫々異なる大きさで表示するように構成されており、前記入力又は演算結果の数字及び前記計数結果の数字の大きさを逆転して表示する指示を受付ける逆転指示受付手段を備え、前記逆転指示受付手段が前記指示を受付けた場合、前記表示部が前記入力又は演算結果の数字及び前記計数結果の数字の大きさを逆転して表示するように構成されていることを特徴とする。
【００１７】
本発明にあっては、前記表示部が前記入力又は演算結果の数字及び前記計数結果の数字を夫々異なる大きさで表示する。前記逆転指示受付手段が前記指示を受付けた場合、前記表示部には前記入力又は演算結果の数字及び前記計数結果の数字の大きさが逆転して表示される。
【００１８】
本発明に係る計算装置は、前記計数結果の数字のみを表示する指示を受付ける手段を備え、該手段が前記指示を受付けた場合、前記表示部が前記計数結果の数字のみを表示するように構成されていることを特徴とする。
【００１９】
本発明にあっては、前記計数結果の数字のみを表示する指示を受付ける手段を備える。該手段が前記指示を受付けた場合は前記表示部には前記計数結果の数字のみが表示される。
【発明の効果】
【００２０】
本発明によれば、加減乗除の実行に係る指示を受付けた場合、受付けた回数を計数する計数手段と、該計数手段による計数結果を表示する表示部と備えているので、実際に入力又は演算された数字の数と、演算しようとしていた数字の数とを対照し、演算漏れの有無を確認することが出来る。
【００２１】
本発明によれば、前記表示部が前記計数結果の数字並びに、入力又は前記演算結果の数字を共に表示するように構成しているので、利用者が常に前記計数結果、入力した数字及び前記演算結果を同時に確認することが出来る。
【００２２】
本発明によれば、異なる大きさで表示される前記入力又は演算結果の数字及び前記計数結果の数字の大きさを逆転して表示する指示を受付ける逆転指示受付手段を備え、前記逆転指示受付手段が前記指示を受付けた場合は、前記表示部が前記入力又は演算結果の数字及び前記計数結果の数字の大きさを逆転して表示するように構成しているので、表示される前記入力又は演算結果の数字及び前記計数結果の数字の大きさを利用者が必要に応じて逆転させ、数字相互間の混乱、誤認を起こすことなく、確認を行うことが出来る。
【００２３】
本発明によれば、前記計数結果の数字のみを表示する指示を受付ける手段を備え、該手段が前記指示を受付けた場合、前記表示部が前記計数結果の数字のみを表示するように構成しているので、他の数値との混乱、誤認を起こすことなく、演算又は入力済みの数字の数を確認することが出来る。
【発明を実施するための最良の形態】
【００２４】
（実施の形態１）
以下本発明の実施の形態を、図面を参照して説明する。図１は実施の形態１に係る計算装置の一例である電子式卓上計算機（以下、略して電卓と言う）の概要を示す模式的斜視図である。
【００２５】
実施の形態１に係る電卓は長方形の板状をなす筐体１０の表面に、入力された数字及び演算の結果を表示する表示部１と、演算すべき数字を入力するための数字入力キー２と、入力した数字の四則演算のための演算キー３（演算指示受付手段）と、表示部１に表示された数字をクリアするためのクリアキー５と、電卓をオン／オフするための電源キー４とを備えている。
【００２６】
表示部１は例えば矩形のＬＣＤ表示装置などからなり、筐体１０の表面の上側に設けられている。表示部１は第１表示手段１１及び第２表示手段１２のＬＣＤ表示パネルを備え、７セグメント方式で数字を表示する。第１表示手段１１は表示部１の下部に配設けられ、第２表示手段１２は表示部１の上部に配設けられている。第１表示手段１１には、数字入力キー２が受付けたデータに係る数字及び、演算キー３が受付けた指示による演算結果に係る数字が表示される。第２表示手段１２には入力又は演算済みの数字の数が表示される。第１表示手段１１は第２表示手段１２より大きく、第１表示手段１１により表示される数字が第２表示手段１２により表示される数字より大きい。また、第１表示手段１１に表示される数字は右付きで表示され、第２表示手段１２に表示される数字は左付きで表示される。
【００２７】
数字入力キー２は、数字を表示部１へ表示する指示データを受付けるいわゆるテンキー及び小数点の表示の指示データを受付ける「・」キーを有している。
【００２８】
演算キー３は加算の指示データを受付ける「＋」キー３３、減算の指示データを受付ける「−」キー３１、乗算の指示データを受付ける「×」キー３４、割算の指示データを受付ける「÷」キー３２及び、演算の実行の指示データを受付ける「＝」キー３５の五つのキーからなる。
【００２９】
図２は実施の形態１に係る電卓の要部構成を示すブロック図である。実施の形態１に係る電卓は、数字入力キー２、演算キー３などを介して指示データを受付ける受付部１３と、上述のように第１表示手段１１及び第２表示手段１２からなり、受付部１３が受付けたデータに係る数字及び前記データに対する演算の結果を表示する表示部１と、演算キー３によりデータを受付けた回数である受付回数を記憶する受付回数記憶部１６とを備えている。
【００３０】
また、数字入力キー２により受付けたデータを記憶する入力データレジスタ１７と、演算結果のデータを記憶する演算結果レジスタ１８と、演算キー３により受付けた演算の指示データを記憶する指示レジスタ１９と、これらを制御するＣＰＵ１５を備えている。ＣＰＵ１５は、演算キー３がデータを受付けた場合、受付回数を計数する計数手段１５１及び、入力データレジスタ１７及び演算結果レジスタ１８に記憶しているデータに対して指示レジスタ１９が記憶しているデータに基づく演算を行う演算手段１５２を備えている。
【００３１】
受付回数は初期値が０に設定されており、受付回数の計数は演算キー３の何れかのキーが指示データを受付ける都度、計数手段１５１が受付回数記憶部１６に記憶されている受付回数に１ずつ加算することにより行われる。加算の結果は再び受付回数として受付回数記憶部１６に記憶する。クリアキー５によりデータを受付けた場合、受付回数は初期化され０になる。受付回数記憶部１６に記憶されたデータに係る数字は、演算又は入力が済んだ数字の数として第２表示手段１２に表示される。
【００３２】
以下、実施の形態１に係る電卓の作用について説明する。説明は家計簿に記載されたある日の収入及び支出の内訳に基づく残高計算を例として行う。図３は実施の形態１に係る電卓の作用を説明するために用いられる家計簿の一面を示す模式図である。
【００３３】
前記家計簿の前記一面にはある日（○○年○月○日）の収入として給料２５０，０００円及び賞与金４００，０００円が記載されており、支出としては家賃８０，０００円及び仕送り１００，０００円が記載されている。実施の形態１に係る電卓を用い、このような内訳に基づく残高計算を行うこととする。つまり、「２５０，０００−８０，０００＋４００，０００−１００，０００」の演算式の演算を行うものである。但し、演算途中にクリアキー５及び電源キー４の操作はないものとする。
【００３４】
図４及び図５は残高計算におけるＣＰＵ１５の処理手順を説明するフローチャートである。まず、電源キー４を押下されることにより、電源がオンにされる。この際、表示部１は図１に示すように、第１表示手段１１及び第２表示手段１２が共に数字０を表示する。
【００３５】
数字入力キー２が押下され、前記演算式の第１項の数字２５００００の各桁の数字データが夫々入力される。まず、数字入力キー２のうち「２」キーが押下され、数字データを受付けた場合（Ｓ１０１）、ＣＰＵ１５は受付けたデータを入力データレジスタ１７に記憶する（Ｓ１０２）。また、受付けたデータに係る数字を第１表示手段１１に表示する（Ｓ１０３）。
【００３６】
次いで数字入力キー２のうち「５」キーが押下され、数字データを受付ける。該データを受付けた場合、ＣＰＵ１５は受付けたデータが数字データか否かを判定する（Ｓ１０４）。ＣＰＵ１５は受付けたデータが数字データでないと判定した場合（Ｓ１０４：ＮＯ）、Ｓ１０５の処理へ移るが、受付けたデータが数字データであると判定した場合（Ｓ１０４：ＹＥＳ）は、Ｓ１０２の処理へ戻り、受付けたデータを入力データレジスタ１７に記憶し（Ｓ１０２）、受付けたデータに係る数字を第１表示手段１１に表示する（Ｓ１０３）。今回受付けたデータは数字データであり、Ｓ１０２の処理へ戻る。上述のＳ１０２からＳ１０４までの処理の繰り返しにより、数字２５００００が入力される。
【００３７】
図６は数字２５００００の入力が完了した場合の表示部１を示す実施の形態１に係る電卓の一部を省略した模式図である。第１表示手段１１には前記演算式の第１項の２５００００の数字が右付きで表示されており、第２表示手段１２には０の数字が左付きで表示されている。
【００３８】
次いで１番目の演算記号である「−」に対応する「−」キーが押下され、「減算」（演算）の指示データを受付ける。該データを受付けた場合、ＣＰＵ１５は受付けたデータが演算の指示データか否かを判定する（Ｓ１０５）。ＣＰＵ１５は受付けたデータが演算の指示データでないと判定した場合（Ｓ１０５：ＮＯ）、演算の指示データを受付けるまで待つ。一方、ＣＰＵ１５は受付けたデータが演算の指示データであると判定した場合（Ｓ１０５：ＹＥＳ）は、Ｓ１０６の処理へ移る。今回受付けたデータは演算の指示データであるので、ＣＰＵ１５の計数手段１５１は受付回数の計数を行う（Ｓ１０６）。詳しくは、受付回数を初期値０から１にする。ＣＰＵ１５は計数結果の受付回数データを受付回数記憶部１６に記憶し（Ｓ１０７）、前記受付回数を第２表示手段１２に表示する（Ｓ１０８）。
【００３９】
図７はＳ１０８までの処理が完了した場合の表示部１を示す実施の形態１に係る電卓の一部を省略した模式図である。第１表示手段１１には前記演算式の第１項の２５００００の数字が右付きで表示されており、第２表示手段１２には入力済みの数字の数を示す１の数字が左付きで表示されている。
【００４０】
次いでＣＰＵ１５は受付回数記憶部１６に記憶しているデータに係る受付回数が１か否か判定する（Ｓ１０９）。受付回数記憶部１６に記憶しているデータに係る受付回数が１と判定した場合（Ｓ１０９：ＹＥＳ）、Ｓ１１０の処理へ移るが、受付回数記憶部１６に記憶しているデータに係る受付回数が１でないと判定した場合（Ｓ１０９：ＮＯ）はＳ１１２の処理へ移る。今回の受付回数は１であるのでＳ１１０の処理へ移る。ＣＰＵ１５は入力データレジスタ１７に記憶しているデータを演算結果レジスタ１８へコピーする（Ｓ１１０）。また、受付けた演算（減算）の指示データを指示レジスタ１９に記憶する（Ｓ１１１）。
【００４１】
その後、数字入力キー２が押下され、前記演算式の第２項の数字８００００の各桁の数字データが夫々入力される。まず、数字入力キー２のうち「８」キーが押下され、数字データを受付ける。該データを受付けた場合、ＣＰＵ１５は受付けたデータが数字データか否かを判定する（Ｓ１１７）。ＣＰＵ１５は受付けたデータが数字データでないと判定した場合（Ｓ１１７：ＮＯ）、数字データを受付けるまで待つ。従って、複数回連続して演算キー３が押下されても、計数手段１５１による受付回数の計数は１回しか行わない。
【００４２】
一方、ＣＰＵ１５は受付けたデータが数字データであると判定した場合（Ｓ１１７：ＹＥＳ）、受付けたデータを入力データレジスタ１７に記憶し、入力データレジスタ１７のデータを更新する（Ｓ１１８）。また、受付けたデータに係る数字を第１表示手段１１に表示する（Ｓ１１９）。
【００４３】
次いで数字入力キー２のうち「０」キーが押下され、数字データを受付ける。該データを受付けた場合、ＣＰＵ１５は受付けたデータが数字データか否かを判定する（Ｓ１２０）。ＣＰＵ１５は受付けたデータが数字データでないと判定した場合（Ｓ１２０：ＮＯ）、Ｓ１２１の処理へ移るが、受付けたデータが数字データであると判定した場合（Ｓ１２０：ＹＥＳ）は、Ｓ１１８の処理へ戻り、再びＳ１１８及びＳ１１９の処理を行う。上述のＳ１１８からＳ１２０までの処理の繰り返しにより、数字８００００が入力される。この際、演算結果レジスタ１８には２５００００の数字データが記憶されており、入力データレジスタ１７には８００００の数字データが記憶されている。また、指示レジスタ１９には１番目の演算記号に対応する「減算」の指示データが記憶されている。
【００４４】
次いで２番目の演算記号である「＋」に対応する「＋」キーが押下され、「加算」（演算）の指示データを受付ける。該データを受付けた場合、ＣＰＵ１５は受付けたデータが演算の指示データか否かを判定し（Ｓ１２１）、受付けたデータが演算の指示データでないと判定した場合（Ｓ１２１：ＮＯ）、演算の指示データを受付けるまで待つ。一方、ＣＰＵ１５は受付けたデータが演算の指示データであると判定した場合（Ｓ１２１：ＹＥＳ）は、Ｓ１０６の処理へ移る。今回受付けたデータは演算の指示データであるので、ＣＰＵ１５の計数手段１５１は受付回数の計数を行う（Ｓ１０６）。つまり、受付回数を１から２にする。ＣＰＵ１５は計数結果の受付回数データを受付回数記憶部１６に記憶し（Ｓ１０７）、前記受付回数を第２表示手段１２に表示する（Ｓ１０８）。
【００４５】
その後、ＣＰＵ１５は受付回数記憶部１６に記憶しているデータに係る受付回数が１か否か判定し（Ｓ１０９）、受付回数記憶部１６に記憶しているデータに係る受付回数が１と判定した場合は（Ｓ１０９：ＹＥＳ）、Ｓ１１０の処理へ移る。今回は受付回数が２であるので、受付回数記憶部１６に記憶しているデータに係る受付回数が１でないと判定し（Ｓ１０９：ＮＯ）、Ｓ１１２の処理へ移る。
【００４６】
次いでＣＰＵ１５は演算結果レジスタ１８及び入力データレジスタ１７に記憶している数字データに対し、指示レジスタ１９に記憶しているデータに係る演算（減算）を実行する（Ｓ１１２）。すなわち、「２５００００−８００００」の演算を行う。
【００４７】
ＣＰＵ１５は前記演算の結果である数字１７００００を第１表示手段１１に表示し（Ｓ１１３）、演算結果レジスタ１８に記憶しているデータを、２５００００の数字から１７００００の数字データに更新する（Ｓ１１４）。また、ＣＰＵ１５は指示レジスタ１９に記憶しているデータを前回受付けた「減算」の指示から今回受付けた「加算」の指示データに更新する（Ｓ１１５）。
【００４８】
図８はＳ１１５までの処理が完了した場合の表示部１を示す実施の形態１に係る電卓の一部を省略した模式図である。第１表示手段１１には「２５００００−８００００」の演算の結果である１７００００の数字が右付きで表示されており、第２表示手段１２には入力済みの数字の数を示す２の数字が左付きで表示されている。従って、現在２つの数字の入力が完了していることが確認できる。
【００４９】
次いでＣＰＵ１５は指示レジスタ１９に記憶しているデータが「＝」キーにより受付けた実行の指示データか否かを判定する（Ｓ１１６）。ＣＰＵ１５が指示レジスタ１９に記憶しているデータが実行の指示データであると判定した場合（Ｓ１１６：ＹＥＳ）、処理は終了するが、指示レジスタ１９に記憶しているデータが実行の指示データでないと判定した場合（Ｓ１１６：ＮＯ）、Ｓ１１７へ再び移る。今回は指示レジスタ１９に「加算」の演算データが記憶されているので、Ｓ１１７へ移る。
【００５０】
以降、上述した手法と同様に、第３項の４０００００の数字データ、３番目の演算記号（−）に対応する減算の指示データ及び第４項の１０００００の数字データを受付け、上述のような処理がＣＰＵ１５により繰り返して行われる。
【００５１】
第４項の１０００００の数字の入力が完了され、入力データレジスタ１７のデータが１０００００の数字データに更新される（Ｓ１１８）。第１表示手段１１に１０００００の数字が表示された（Ｓ１１９）後には「＝」キーが押下され、入力された数字に対する演算の実行の指示データを受付ける。この場合、ＣＰＵ１５は受付けたデータが数字データか否かを判定する（Ｓ１２０）。今回受付けたデータは実行の指示データであるので、ＣＰＵ１５により受付けたデータが数字データでないと判定され（Ｓ１２０：ＮＯ）、Ｓ１２１の処理へ移る。
【００５２】
次いでＣＰＵ１５は受付けたデータが演算の指示データか否かを判定する（Ｓ１２１）。今回受付けたデータは実行の指示データであるので、ＣＰＵ１５は受付けたデータが演算の指示データであると判定し（Ｓ１２１：ＹＥＳ）、Ｓ１０６の処理へ戻る。ＣＰＵ１５の計数手段１５１は受付回数の計数を行い（Ｓ１０６）、受付回数を４にする。ＣＰＵ１５は計数結果の受付回数データを受付回数記憶部１６に記憶し（Ｓ１０７）、前記受付回数を第２表示手段１２に表示する（Ｓ１０８）。
【００５３】
その後、ＣＰＵ１５は受付回数記憶部１６に記憶しているデータに係る受付回数が１か否か判定する（Ｓ１０９）。今回は受付回数が４であるので、受付回数記憶部１６に記憶しているデータに係る受付回数が１でないと判定し（Ｓ１０９：ＮＯ）、Ｓ１１２の処理へ移る。次いでＣＰＵ１５は演算結果レジスタ１８及び入力データレジスタ１７に記憶している数字データに対し、指示レジスタ１９に記憶しているデータに係る演算（３番目の演算記号に対応する減算）を実行する（Ｓ１１２）。
【００５４】
ＣＰＵ１５は前記演算の結果、つまり前記演算式の演算の結果に係る数字４７００００を第１表示手段１１に表示し（Ｓ１１３）、演算結果レジスタ１８に記憶しているデータを、４７００００の数字データに更新する（Ｓ１１４）。また、ＣＰＵ１５は指示レジスタ１９に記憶しているデータを今回受付けた「実行」の指示データに更新する（Ｓ１１５）。
【００５５】
図９はＳ１１４までの処理が完了した場合の表示部１を示す実施の形態１に係る電卓の一部を省略した模式図である。第１表示手段１１には前記演算式の演算の結果である４７００００の数字が右付きで表示されており、第２表示手段１２には入力済みの数字の数を示す４の数字が左付きで表示されている。
【００５６】
次いでＣＰＵ１５は指示レジスタ１９に記憶しているデータが「＝」キーにより受付けた実行の指示データか否かを判定する（Ｓ１１６）。ＣＰＵ１５が指示レジスタ１９に記憶しているデータが実行の指示データでないと判定した場合（Ｓ１１６：ＮＯ）、Ｓ１１７へ戻るが、指示レジスタ１９に記憶しているデータが実行の指示データであると判定した場合（Ｓ１１６：ＹＥＳ）、処理は終了される。今回は指示レジスタ１９に「実行」の指示データが記憶されているので、処理が終了される。
【００５７】
上述のように第２表示手段１２には４の数字が表示されており、演算すべき数字の数も４つであることから、利用者は今回に演算において、数字の入力が漏れることなく行われたことを確認できる。
【００５８】
実施の形態１においては、第１表示手段１１に表示される数字の大きさが第２表示手段１２に表示される数字より大きい場合について説明したが、これに限るものでない。第１表示手段１１及び第２表示手段１２に表示される数字が等しい大きさであってもよく、第２表示手段１２に表示される数字が第１表示手段１１に表示される数字より大きくなるように構成しても良い。
【００５９】
また、実施の形態１に係る計算装置は以上の記載に限るものでなく、受付回数の計数を一時的に停止させる指示データを受付ける手段を備え、利用者の入力誤りに対する修正入力に対応するように構成しても良い。
【００６０】
また、実施の形態１に係る計算装置の説明においては、加算及び減算が混じて行われる演算式を例として説明したがこれに限るものでない。加算のみ又は減算のみの演算に対しては言うまでも無く、乗算のみ、除算のみ又は乗算及び除算が混じた演算に対しても適用することが可能である。
【００６１】
また、実施の形態１に係る計算装置の説明においては、演算キー３が複数回連続して押下されても、計数手段１５１による受付回数の計数は１回しか行わないように構成した場合について説明したが、これに限るものでない。上述のように複数回の演算キー３の連続操作に対して受付回数の計数を１回のみ行うパターンと、複数回の演算キー３の連続操作に対応して受付回数の計数を複数回行うパターンとを揃え、いずれかを選択できるように構成しても良い。後者のパターンが選択された場合は演算キー３のいずれかが操作される都度、受付回数が計数されるので、称数取器（カウンター器）として使用することが出来る。
【００６２】
（実施の形態２）
図１０は実施の形態２に係る電卓の概要を示す模式的斜視図である。実施の形態２に係る電卓は、実施の形態１に係る電卓と同様に、筐体１０の表面に、入力された数字及び計数の結果を表示する表示部１と、演算すべき数字を入力するための数字入力キー２と、入力した数字の四則演算のための演算キー３と、表示部１に表示された数字をクリアするためのクリアキー５と、電卓をオン／オフするための電源キー４とを備えている。しかし、実施の形態２に係る電卓は実施の形態１とは異なり、第１表示手段１１に表示されている数字及び、第２表示手段１２に表示されている数字を互い逆転して表示する指示データを受付ける切換表示キー７（逆転指示受付手段）を備えている。
【００６３】
また、実施の形態２に係る電卓は、実施の形態１に係る電卓と同様に、受付部、表示部、受付回数記憶部、入力データレジスタ、演算結果レジスタ、指示レジスタ及びＣＰＵを備えており、詳しい説明は省略する。
【００６４】
切換表示キー７が操作される前において、第１表示手段１１には数字入力キー２が受付けて入力データレジスタに記憶されるデータに係る数字及び、演算キー３が受付けた指示による演算結果であって演算結果レジスタに記憶されるデータに係る数字（以下、第１数字と言う）が右付きで表示される。第２表示手段１２には入力又は演算済みの数字の数であって受付回数記憶部に記憶されるデータに係る数字（以下、第２数字と言う）が左付きで表示される。また、第１数字は第２数字より大きい数字で表示される。一方、切換表示キー７が押下され、第１数字及び第２数字を相互逆転して表示する指示データを受付けた場合は、第１表示手段１１には第２数字が表示され、第２表示手段１２には第１数字が表示される。つまり、第２数字が第１数字より大きい数字で表示されることとなる。
【００６５】
以下、切換表示キー７の作用について説明する。図１１は切換表示キー７が押下された場合におけるＣＰＵの処理手順を説明するフローチャートである。
【００６６】
切換表示キー７が押下され、第１数字及び第２数字を相互逆転して表示する指示データを受付けた場合（Ｓ２０１）、ＣＰＵは第１表示手段１１に表示されている第１数字が、入力データレジスタのデータに係る数字であるか、演算結果レジスタのデータに係る数字であるか判定する。
【００６７】
ＣＰＵは入力データレジスタのデータを読み込み（Ｓ２０２）、入力データレジスタのデータが第１表示手段１１の表示に係るデータと同一か否かを判定する（Ｓ２０３）。入力データレジスタのデータが第１表示手段１１の表示に係るデータと同一と判定した場合（Ｓ２０３：ＹＥＳ）、入力レジスタのデータに係る数字を第２表示手段１２に表示する（Ｓ２０６）。一方、入力データレジスタのデータが第１表示手段１１の表示に係るデータと同一でないと判定した場合（Ｓ２０３：ＮＯ）は、演算結果レジスタのデータを読み込み（Ｓ２０４）、読み込んだ演算結果レジスタのデータに係る数字を第２表示手段１２に表示する（Ｓ２０５）。これにより、第１数字の第２表示手段１２への表示が完了される。
【００６８】
次いでＣＰＵは受付回数記憶部のデータを読み込み（Ｓ２０７）、受付回数記憶部のデータに係る数字つまり、第２数字を第１表示手段１１に表示し（Ｓ２０８）、処理を終了する。  
【００６９】
実施の形態１に係る演算が実行された場合、すなわち、演算結果として４７００００の数字が第１表示手段１１に表示され、入力又は演算済みの数字の数として４の数字が第２表示手段１２へ表示された場合を例に、切換表示キー７の操作前後における表示部１を図１２に示す。図１２（ａ）は切換表示キー７の操作前の表示部１を示す実施の形態２に係る電卓の一部を省略した模式図である。図１２（ｂ）は切換表示キー７の操作後の表示部１を示す実施の形態２に係る電卓の一部を省略した模式図である。
【００７０】
切換表示キー７の操作前は、第１表示手段１１には演算の結果であり、演算結果レジスタに記憶しているデータに係る数字４７００００が右付きで表示されており、第２表示手段１２には入力済みの数字の数であり、受付回数記憶部に記憶しているデータに係る４の数字が左付きで表示されている。前記４の数字は、前記４７００００の数字より小さく表示されている。一方、切換表示キー７の操作後は、第１表示手段１１には４の数字が右付きで表示されており、第２表示手段１２には４７００００の数字が左付きで表示されている。前記４の数字は、前記４７００００の数字より大きく表示されている。
【００７１】
実施の形態２においては、切換表示キー７の操作により、第２数字が第１表示手段１１に表示され、第１数字が第２表示手段１２に表示される場合について説明したが、これに限るものでない。例えば、切換表示キー７（手段）が操作された場合、第２数字のみが第１表示手段１１に表示され、第２表示手段１２には数字が表示されないように構成しても良い。
【００７２】
実施の形態１と同様の部分については、同一の符号を付して詳細な説明を省略する。
【図面の簡単な説明】
【００７３】
【図１】実施の形態１に係る計算装置の一例である電子式卓上計算機の概要を示す模式的斜視図である。
【図２】実施の形態１に係る電卓の要部構成を示すブロック図である。
【図３】実施の形態１に係る電卓の作用を説明するために用いられる家計簿の一面を示す模式図である。
【図４】残高計算におけるＣＰＵの処理手順を説明するフローチャートである。
【図５】残高計算におけるＣＰＵの処理手順を説明するフローチャートである。
【図６】数字２５００００の入力が完了した場合の表示部を示す実施の形態１に係る電卓の一部を省略した模式図である。
【図７】Ｓ１０８までの処理が完了した場合の表示部を示す実施の形態１に係る電卓の一部を省略した模式図である。
【図８】Ｓ１１５までの処理が完了した場合の表示部を示す実施の形態１に係る電卓の一部を省略した模式図である。
【図９】Ｓ１１４までの処理が完了した場合の表示部を示す実施の形態１に係る電卓の一部を省略した模式図である。
【図１０】実施の形態２に係る電卓の概要を示す模式的斜視図である。
【図１１】切換表示キーが押下された場合におけるＣＰＵの処理手順を説明するフローチャートである。
【図１２】（ａ）は切換表示キーの操作前の表示部を示す実施の形態２に係る電卓の一部を省略した模式図であり、（ｂ）は切換表示キーの操作後の表示部を示す実施の形態２に係る電卓の一部を省略した模式図である。
【符号の説明】
【００７４】
１  表示部
１１  第１表示手段
１２  第２表示手段
３  演算キー
７  切換表示キー
１５  ＣＰＵ
１５１  計数手段
１５２  演算手段
１７  入力データレジスタ
１８  演算結果レジスタ
１９  指示レジスタ
【図１】
2007141260.tif 000003
【図２】
2007141260.tif 000004
【図３】
2007141260.tif 000005
【図４】
2007141260.tif 000006
【図５】
2007141260.tif 000007
【図６】
2007141260.tif 000008
【図７】
2007141260.tif 000009
【図８】
2007141260.tif 000010
【図９】
2007141260.tif 000011
【図１０】
2007141260.tif 000012
【図１１】
2007141260.tif 000013
【図１２】
2007141260.tif 000014